【手続補正書】
【提出日】平成23年10月27日(2011.10.27)
【手続補正１】
【補正対象書類名】特許請求の範囲
【補正対象項目名】全文
【補正方法】変更
【補正の内容】
【特許請求の範囲】
【請求項１】
表示手段を備える第１の筐体と、操作手段を備える第２の筐体が回動可能に連結されており、前記第１の筐体の折り畳まれた閉状態で内側となる面に撮像手段が配置されている携帯端末装置であって、
前記第１の筐体と第２の筐体の回動による携帯端末装置の開閉状態を検出する開閉状態検出手段と、
照合のための画像情報を記憶する照合情報記憶手段と、
前記撮像手段で取得した画像情報と前記照合情報記憶手段に記憶された画像情報とが所定の一致条件を満たしているか否かを照合する照合手段と、
該照合手段で照合した結果が前記所定の一致条件を満たした場合に、操作者に許可された当該携帯端末装置の機能の操作の実行を許容する制御手段と、を備え、
前記開閉状態検出手段が開状態であることを検出したら前記撮像手段を起動し、
前記撮像手段が取得した画像を前記表示手段に表示することを特徴とする携帯端末装置。
【請求項２】
表示手段と撮像手段を備える第１の筐体と、操作手段を備える第２の筐体がスライド可能に連結されている携帯端末装置であって、
前記第１の筐体と第２の筐体のスライドによる携帯端末装置の開閉状態を検出するスライド状態検出手段と、
照合のための画像情報を記憶する照合情報記憶手段と、
前記撮像手段で取得した画像情報と前記照合情報記憶手段に記憶された画像情報とが所定の一致条件を満たしているか否かを照合する照合手段と、
該照合手段で照合した結果が前記所定の一致条件を満たした場合に、操作者に許可された当該携帯端末装置の機能の操作の実行を許容する制御手段と、を備え、
前記スライド状態検出手段が開状態であることを検出したら前記撮像手段を起動し、
前記撮像手段が取得した画像を前記表示手段に表示することを特徴とする携帯端末装置。
【請求項３】
請求項１または２に記載の携帯端末装置において、前記撮像手段を起動後、オートフォーカス機能により焦点が合ったことを検出したら、前記照合手段により照合動作を行うことを特徴とする携帯端末装置。
【請求項４】
請求項１または２に記載の携帯端末装置において、前記撮像手段を起動後、オートフォーカス機能により焦点が合ったことを検出したら、使用者に照合を行うか否かを告知することを特徴とする携帯端末装置。
【請求項５】
撮像手段を備えた携帯端末装置であって、
前記携帯端末装置の状態を検出する状態検出手段と、
照合のための画像情報を記憶する照合情報記憶手段と、
前記撮像手段で取得した画像情報と前記照合情報記憶手段に記憶された画像情報とが所定の一致条件を満たしているか否かを照合する照合手段と、
前記照合手段で照合した結果が前記所定の一致条件を満たした場合に、操作者に許可された当該携帯端末装置の機能の操作を実行させる制御手段と、を備え、
所定の状態を検出したと前記状態検出手段が判断すると、前記撮像手段を起動させることと被写体に前記撮像手段の焦点をあわせることとを行い、
前期撮像手段は前記被写体を撮影し画像情報を取得することを特徴とする携帯端末装置。
【請求項６】
請求項５に記載の携帯端末装置において、第１の筐体と、第２の筐体が回動可能に連結されて構成され、前記第１の筐体に撮像手段が配置されており、
状態検出手段は、前記第１の筐体と第２の筐体の回動による携帯端末装置の開閉状態を検出することを特徴とする携帯端末装置。
【請求項７】
請求項５に記載の携帯端末装置において、第１の筐体と、第２の筐体がスライド可能に連結されて構成され、前記第１の筐体に撮像手段が配置されており、
状態検出手段は、前記第１の筐体と第２の筐体のスライドによる携帯端末装置の開閉状態を検出することを特徴とする携帯端末装置。
【請求項８】
請求項５〜７のいずれかに記載の携帯端末装置において、携帯端末装置は表示手段を有し、前記撮像手段が取得した画像を前記表示手段に表示することを特徴とする携帯端末装置。
【請求項９】
請求項５〜７のいずれかに記載の携帯端末装置において、前記撮像手段が被写体の画像を取得したら、使用者に照合を行うか否かを告知することを特徴とする携帯端末装置。
【請求項１０】
撮像手段を備えた携帯端末装置の画像照合方法であって、
当該携帯端末装置が所定の状態であることを検出する状態検出ステップと、
前記所定の状態であることを検出すると前記撮像手段を起動するステップと、
撮像手段の焦点を被写体に合わせるステップと、
撮像手段の焦点が被写体に合ったことを検出すると被写体の画像を取得するステップと、
前記取得した被写体の画像情報と携帯端末に記憶されている画像情報が所定の一致条件を満たしているか否かを照合する照合ステップと、
前記照合ステップで所定の一致条件を満たしている場合、操作者に許可された当該携帯端末装置の機能の操作を実行させるステップと、を含むことを特徴とする携帯端末装置の画像情報照合方法。
【請求項１１】
請求項１から９のいずれか１項に記載の各手段としてコンピュータを機能させるためのプログラム。
【手続補正２】
【補正対象書類名】明細書
【補正対象項目名】発明の名称
【補正方法】変更
【補正の内容】
【発明の名称】携帯端末装置、その画像情報照合方法及びプログラム
【手続補正３】
【補正対象書類名】明細書
【補正対象項目名】００１２
【補正方法】変更
【補正の内容】
【００１２】
第２の技術手段は、第１の筐体と第２の筐体がスライド可能に連結された携帯端末装置を対象としたものであり、前記筐体のスライドにより携帯端末装置の開閉状態が検出されることを特徴とする。
第３の技術手段は、前記撮像手段を起動後、オートフォーカス機能により焦点が合ったことを検出すると照合手段により照合動作を行うことを特徴とする。
第４の技術手段は、前記の焦点が合ったことを検出すると使用者に照合を行なうか否かを告知することを特徴とする。
【手続補正４】
【補正対象書類名】明細書
【補正対象項目名】００１３
【補正方法】変更
【補正の内容】
【００１３】
第５の技術手段は、撮像手段を備えた携帯端末装置であって、前記携帯端末装置の状態を検出する状態検出手段と、照合のための画像情報を記憶する照合情報記憶手段と、前記撮像手段で取得した画像情報と前記照合情報記憶手段に記憶された画像情報とが所定の一致条件を満たしているか否かを照合する照合手段と、前記照合手段で照合した結果が前記所定の一致条件を満たした場合に、操作者に許可された当該携帯端末装置の機能の操作を実行させる制御手段と、を備え、所定の状態を検出したと前記状態検出手段が判断すると、前記撮像手段を起動させることと被写体に前記撮像手段の焦点をあわせることとを行い、前期撮像手段は前記被写体を撮影し画像情報を取得する携帯端末装置を特徴とする。
第６の技術手段は、第５の技術手段の携帯端末装置において、第１の筐体と第２の筐体が回動可能に連結され、前記第１の筐体に撮像手段が配置されており、状態検出装置が筐体の回動により携帯端末装置の開状態を検出することを特徴とする。
第７の技術手段は、第５の技術手段の携帯端末装置において、第１の筐体と第２の筐体がスライド可能に連結され、前記第１の筐体に撮像手段が配置されており、状態検出装置が筐体のスライドにより携帯端末装置の開状態を検出することを特徴とする。
第８の技術手段は、第５〜７のいずれかの技術手段の携帯端末装置において、携帯端末装置は表示手段を有し、前記撮像手段が取得した画像を前記表示手段に表示することを特徴とする。
第９の技術手段は、第５〜７のいずれかの技術手段の携帯端末装置において、前記撮像手段が被写体の画像を取得したら、使用者に照合を行うか否かを告知することを特徴とする。
【手続補正５】
【補正対象書類名】明細書
【補正対象項目名】００１４
【補正方法】変更
【補正の内容】
【００１４】
第１０の技術手段は、撮像手段を備えた携帯端末装置の画像照合方法であって、当該携帯端末装置が所定の状態であることを検出する状態検出ステップと、前記所定の状態であることを検出すると前記撮像手段を起動するステップと、撮像手段の焦点を被写体に合わせるステップと、撮像手段の焦点が被写体に合ったことを検出すると被写体の画像を取得するステップと、前記取得した被写体の画像情報と携帯端末に記憶されている画像情報が所定の一致条件を満たしているか否かを照合する照合ステップと、前記照合ステップで所定の一致条件を満たしている場合、操作者に許可された当該携帯端末装置の機能の操作を実行させるステップと、を含む携帯端末装置の画像情報照合方法を特徴とする。
第１１の技術手段は、第１から９のいずれか１の技術手段の各手段としてコンピュータを機能させるためのプログラムである。